(57)【要約】      （修正有）【課題】観測機が、構成的に簡易的で、容易に任意の場所に移動可能であって、且つ、監視制御装置が、観測機が計測した環境情報を一元的にモニタリングすることで、計測対象区域内の環境情報を一元的に管理でき、容易に、計測対象区域内の熱中症等の疾病の危険度を把握できる環境情報計測警報制御システムを提供する。【解決手段】環境情報を計測し、計測した環境情報を無線手段を介して送信可能であると共に、任意の場所に移動可能な観測機１０と、観測機１０が計測した環境情報を無線手段４２を介して受信し、受信した環境情報に基づき、観測機の計測点における環境の状況の算出を行う監視制御装置４０とを備え、計測対象区域の少なくとも１ヶ所に配置された移設可能な観測機１０が計測した環境情報を、監視制御装置４０が一元的にモニタリングすることを特徴とする。【選択図】図１
2016018357.tif 000002
【特許請求の範囲】
【請求項１】
周囲の空気の状態を示す環境情報を計測し、計測した該環境情報を活用する環境情報計測警報制御システムにおいて、
該環境情報を計測し、該計測した環境情報を無線手段を介して送信可能であると共に、任意の場所に移動可能な観測機と、
該観測機が計測した該環境情報を無線手段を介して受信し、該受信した環境情報に基づき、該観測機の計測点における環境の状況の算出を行う監視制御装置とを備え、
計測対象区域の少なくとも１ヶ所に配置された移設可能な該観測機が計測した該環境情報を、該監視制御装置が一元的にモニタリングすることを特徴とする環境情報計測警報制御システム。
【請求項２】
前記監視制御装置が、前記観測機から受信した環境情報に基づき、疾病の発生危険性又は前記環境情報の悪化度合いを算出し、該観測機が配置された場所での該疾病の発生危険性又は該環境情報の悪化度合いを監視し、該疾病の発生危険性又は該環境情報の悪化度合いを表示又は発信することを特徴とする請求項１記載の環境情報計測警報制御システム。
【請求項３】
前記観測機が、警報を発する警報表示手段を有し、
前記監視制御装置が、該観測機が配置された場所で該疾病の発生危険性が高まった又は前記環境情報が悪化したと判断した場合、該監視制御装置が該観測機に対して無線手段を介して該警報表示手段により警報を発するように指示し、該観測機が該警報表示手段により、警報を発することを特徴とする請求項２記載の環境情報計測警報制御システム。
【請求項４】
前記疾病が、熱中症、インフルエンザ、感冒、脱水症状又は一酸化中毒であることを特徴とする請求項２又は請求項３記載の環境情報計測警報制御システム。
【請求項５】
前記監視制御装置が、
前記観測機から送られてきた環境情報に基づき、該観測機が配置された場所の環境情報を改善するための環境改善装置を制御し、該観測機が配置された場所の環境を改善することを特徴とする請求項１〜請求項４のいずれかに記載の環境情報計測警報制御システム。
【請求項６】
前記観測機が、
内部が空洞な上下に伸びる円柱状又は多角柱状の筐体と、
該筐体内部に設けられた前記環境情報を計測するためのセンサと、
該筐体内部に設けられた前記無線手段とを備え、
該筐体に、該センサに周囲の空気が接しやすくするためのスリット穴を設けたことを特徴とする請求項１〜請求項５のいずれかに記載の環境情報計測警報制御システム。
【請求項７】
前記観測機の筐体の上端に、その一部が陥没するように黒球が設けられ、
該黒球の中に温度測定用のセンサが設けられていることを特徴とする請求項６記載の環境情報計測警報制御システム。
【請求項８】
前記観測機が、
前記筐体の内部に、上下に伸びる対向する１組の溝を少なくとも１つ有し、
該一組の溝の間に、電子基板を挿嵌固定可能であることを特徴とする請求項６又は請求項７記載の環境情報計測警報制御システム。
【請求項９】
周囲の空気の状態を示す環境情報を計測し、計測した該環境情報を活用する環境情報計測警報制御方法において、
任意の場所に移動可能な観測機で、該環境情報を計測し、該計測した環境情報を無線手段を介して送信し、
監視制御装置で、該観測機が計測した該環境情報を無線手段を介して受信し、該受信した環境情報に基づき、該観測機の計測点における環境の状況の算出を行い、計測対象区域の少なくとも１ヶ所に配置された移設可能な該観測機が計測した該環境情報を、該監視制御装置で一元的にモニタリングすることを特徴とする環境情報計測警報制御方法。
【請求項１０】
前記監視制御装置が、前記観測機から受信した環境情報に基づき、疾病の発生危険性又は前記環境情報の悪化度合いを算出し、該観測機が配置された場所での該疾病の発生危険性又は該環境情報の悪化度合いを監視し、該疾病の発生危険性又は該環境情報の悪化度合いを表示又は発信することを特徴とする請求項９記載の環境情報計測警報制御方法。
【請求項１１】
前記観測機が、警報を発する警報表示手段を有し、前記監視制御装置が、該観測機が配置された場所で該疾病の発生危険性が高まった又は前記環境情報が悪化したと判断した場合、該監視制御装置が該観測機に対して無線手段を介して該警報表示手段により警報を発するように指示し、該観測機が該警報表示手段により、警報を発することを特徴とする請求項１０記載の環境情報計測警報制御方法。
【請求項１２】
前記疾病が、熱中症、インフルエンザ、感冒、脱水症状又は一酸化中毒であることを特徴とする請求項１０又は請求項１１記載の環境情報計測警報制御方法。
【請求項１３】
前記監視制御装置が、前記観測機から送られてきた環境情報に基づき、該観測機が配置された場所の環境情報を改善するための環境改善装置を制御し、該観測機が配置された場所の環境を改善することを特徴とする請求項９〜請求項１２のいずれかに記載の環境情報計測警報制御方法。
【発明の詳細な説明】
【技術分野】
【０００１】
本発明は、周囲の空気の状態を示す環境情報を計測し、計測した環境情報を活用する環境情報計測警報制御システム及び環境情報計測警報制御方法に関する。
【背景技術】
【０００２】
従来より、周囲の空気の状態を示す環境情報を計測し、熱中症の危険度を警報を出して伝える装置がある。例えば、特許文献１に示される熱中症予防温度計は、熱中症の警告をすることができる温度計で、予め設定された温度になると、光警告部などの警告部から光、音などの警告信号を発する。そして、警告信号は、設定温度ごとに異なる信号を発するので、利用者は熱中症の危険度合に応じた警告を感知して、自主的に予防策をとることができる。この熱中症予防温度計は、腕時計のように腕に巻きつけたり、足首、ウエストなどに装着して利用者が携帯可能であり、屋内外で移動しても熱中症予防に効果的である。
【先行技術文献】
【特許文献】
【０００３】
【特許文献１】特開２００３−３４４１７５号公報
【発明の概要】
【発明が解決しようとする課題】
【０００４】
しかしながら、従来の熱中症の危険度を警報を出して伝える装置では、装置に熱中症の危険度合を算出する機能を有し多機能であるにも関わらず、身につけた人がいる周囲といった極度に限られた位置でしか計測が行われず、また、情報の共有が困難で、計測対象区域内の環境情報を一元管理ができない。
【０００５】
本発明は、このような事情に鑑みてなされたもので、観測機が、構成的に簡易的で、容易に任意の場所に移動可能であって、且つ、監視制御装置が、観測機が計測した環境情報を一元的にモニタリングすることで、計測対象区域内の環境情報を一元的に管理でき、容易に、計測対象区域内の熱中症等の疾病の危険度を把握できる環境情報計測警報制御システム及び環境情報計測警報制御方法を提供することにある。
【課題を解決するための手段】
【０００６】
請求項１記載の環境情報計測警報制御システムは、環境情報を計測し、計測した環境情報を無線手段を介して送信可能であると共に、任意の場所に移動可能な観測機と、観測機が計測した環境情報を無線手段を介して受信し、受信した環境情報に基づき、観測機の計測点における環境の状況の算出を行う監視制御装置とを備え、計測対象区域の少なくとも１ヶ所に配置された移設可能な観測機が計測した環境情報を、監視制御装置が一元的にモニタリングすることを特徴とする。
【０００７】
請求項２記載の環境情報計測警報制御システムは、監視制御装置が、観測機から受信した環境情報に基づき、疾病の発生危険性又は環境情報の悪化度合いを算出し、観測機が配置された場所での疾病の発生危険性又は環境情報の悪化度合いを監視し、疾病の発生危険性又は環境情報の悪化度合いを表示又は発信することを特徴とする。
【０００８】
請求項３記載の環境情報計測警報制御システムは、観測機が、警報を発する警報表示手段を有し、監視制御装置が、観測機が配置された場所で疾病の発生危険性が高まった又は環境情報が悪化したと判断した場合、監視制御装置が観測機に対して無線手段を介して警報表示手段により警報を発するように指示し、観測機が警報表示手段により、警報を発することを特徴とする。
【０００９】
請求項４記載の環境情報計測警報制御システムは、疾病が、熱中症、インフルエンザ、感冒、脱水症状又は一酸化中毒であることを特徴とする。
【００１０】
請求項５記載の環境情報計測警報制御システムは、監視制御装置が、観測機から送られてきた環境情報に基づき、観測機が配置された場所の環境情報を改善するための環境改善装置を制御し、観測機が配置された場所の環境を改善することを特徴とする。
【００１１】
請求項６記載の環境情報計測警報制御システムは、観測機が、内部が空洞な上下に伸びる円柱状又は多角柱状の筐体と、筐体内部に設けられた環境情報を計測するためのセンサと、筐体内部に設けられた無線手段とを備え、筐体に、センサに周囲の空気が接しやすくするためのスリット穴を設けたことを特徴とする。
【００１２】
請求項７記載の環境情報計測警報制御システムは、観測機の筐体の上端に、その一部が陥没するように黒球が設けられ、黒球の中に温度測定用のセンサが設けられていることを特徴とする。
【００１３】
請求項８記載の環境情報計測警報制御システムは、観測機が、筐体の内部に、上下に伸びる対向する１組の溝を少なくとも１つ有し、一組の溝の間に、電子基板を挿嵌固定可能であることを特徴とする。
【００１４】
請求項９記載の環境情報計測警報制御方法は、任意の場所に移動可能な観測機で、環境情報を計測し、計測した環境情報を無線手段を介して送信し、監視制御装置で、観測機が計測した環境情報を無線手段を介して受信し、受信した環境情報に基づき、観測機の計測点における環境の状況の算出を行い、計測対象区域の少なくとも１ヶ所に配置された移設可能な観測機が計測した環境情報を、監視制御装置で一元的にモニタリングすることを特徴とする。
【００１５】
請求項１０記載の環境情報計測警報制御方法は、監視制御装置が、観測機から受信した環境情報に基づき、疾病の発生危険性又は環境情報の悪化度合いを算出し、観測機が配置された場所での疾病の発生危険性又は環境情報の悪化度合いを監視し、疾病の発生危険性又は環境情報の悪化度合いを表示又は発信することを特徴とする。
【００１６】
請求項１１記載の環境情報計測警報制御方法は、観測機が、警報を発する警報表示手段を有し、監視制御装置が、観測機が配置された場所で疾病の発生危険性が高まった又は環境情報が悪化したと判断した場合、監視制御装置が観測機に対して無線手段を介して警報表示手段により警報を発するように指示し、観測機が警報表示手段により、警報を発することを特徴とする。
【００１７】
請求項１２記載の環境情報計測警報制御方法は、熱中症、インフルエンザ、感冒、脱水症状又は一酸化中毒であることを特徴とする。
【００１８】
請求項１３記載の環境情報計測警報制御方法は、監視制御装置が、観測機から送られてきた環境情報に基づき、観測機が配置された場所の環境情報を改善するための環境改善装置を制御し、観測機が配置された場所の環境を改善することを特徴とする。
【発明の効果】
【００１９】
本願の発明によれば、観測機が、構成的に簡易的で、容易に任意の場所に移動可能であって、且つ、監視制御装置が、観測機が計測した環境情報を一元的にモニタリングすることで、計測対象区域内の環境情報を一元的に管理でき、容易に、計測対象区域内の熱中症等の疾病の危険度を把握できる。
【図面の簡単な説明】
【００２０】
【図１】本発明に係る環境情報計測警報制御システムの基本構成の一例を示す説明図である。
【図２】同環境情報計測警報制御システムの各装置の配置の一例を示す説明図である。
【図３】同環境情報計測警報制御システムの監視制御装置のモニタ画面の一例を示す説明図である。
【図４】同環境情報計測警報制御システムの観測機の構成の一例を示す説明図である。
【図５】同環境情報計測警報制御システムの観測機の外観の一例を示す説明図である。
【図６】同環境情報計測警報制御システムの観測機の構造の一例を示す説明図である。
【図７】同環境情報計測警報制御システムの使用形態の一例を示す説明図である。
【発明を実施するための形態】
【００２１】
以下、本発明の形態について図面を参照しながら具体的に説明する。図１は、本発明に係る環境情報計測警報制御システムの基本構成の一例を示す説明図である。図２は、同環境情報計測警報制御システムの各装置の配置の一例を示す説明図である。図３は、同環境情報計測警報制御システムの監視制御装置のモニタ画面の一例を示す説明図である。図４は、同環境情報計測警報制御システムの観測機の構成の一例を示す説明図である。図５は、同環境情報計測警報制御システムの観測機の外観の一例を示す説明図である。図６は、同環境情報計測警報制御システムの観測機の構造の一例を示す説明図である。図７は、同環境情報計測警報制御システムの使用形態の一例を示す説明図である。
【００２２】
図における環境情報計測警報制御システム１は、周囲の空気の状態を示す環境情報を計測し、計測した環境情報を活用するものである。ここで、環境情報とは、温度、湿度、酸素濃度、一酸化炭素濃度、二酸化炭素濃度、硫化水素濃度等の空気中の成分に関係する情報の他、風向きや風量や気圧といった空気の流れに関する情報、日射量といった空気の状態に影響を与える情報等も広く含むものである。さらに、環境情報には、植物の生育に関係する空気中の成分であるエチレンガス濃度も含まれると共に、日射量のような太陽の直射に限らず、各種の照明機器による照度のような人工的に操作された周囲の空気の状態に影響を与える情報等も含まれる。
【００２３】
環境情報計測警報制御システム１は、観測機１０（１０ａ〜１０ｅ）、監視制御装置４０等から構成されている。観測機１０（１０ａ〜１０ｅ）は、環境情報を計測し、計測した環境情報を無線手段を介して送信可能であると共に、任意の場所に移動可能なものである。また、監視制御装置４０は、観測機１０（１０ａ〜１０ｅ）が計測した環境情報を無線手段を介して受信し、受信した環境情報に基づき、観測機１０（１０ａ〜１０ｅ）の計測点における環境の状況の算出を行うことを基本的な機能としている。そして、計測対象区域Ｅの少なくとも１ヶ所に配置された移設可能な観測機１０（１０ａ〜１０ｅ）が計測した環境情報を、監視制御装置４０が一元的にモニタリングする。
【００２４】
観測機１０（１０ａ〜１０ｅ）は、図５及び図６に示すように、内部が空洞な上下に伸びる円筒状の筐体１２と、円筒の上端を塞ぐ上蓋１４と、円筒の底を塞ぐ底蓋１６とからなる全体として円柱状のものである。また、筐体１２の上部の側面には、周囲の空気を内部と連通させるためのスリット穴１２ａが、穿設されている。観測機１０（１０ａ〜１０ｅ）の筐体１２の内部には、電子基板である基板３０，３２が設けられ、その基板３０，３２には、各種の電子回路等が実装されている。また、観測機１０（１０ａ〜１０ｅ）の筐体１２の内部には、湿度センサ２６等の環境情報を計測するためのセンサが設けられている。観測機１０（１０ａ〜１０ｅ）の形状としては、任意の場所に容易に移動させることができ、移動させる場合に取り扱い安い形状で、また任意の場所に載置して設置できる形状が好ましく、円柱状に限らず、多角柱状であってもよい。
【００２５】
尚、温度センサ２４に関しては、観測機１０（１０ａ〜１０ｅ）の筐体１２の内部に設けるようにしてもよいが、本実施の形態では、観測機１０（１０ａ〜１０ｅ）の筐体１２の上端の上蓋１４に半球状の凹みを設け、その凹みに、一部が陥没するように黒球１８を設け、黒球１８の中に温度センサ２４を配置するようにしている。すなわち、本実施の形態の観測機１０（１０ａ〜１０ｅ）では、熱中症の危険度の予測に適した黒球温度を測定できる構成になっている。但し、乾球温度だけではなく、湿球温度も計測できるような構成にしてもよく、湿度センサ２６自体、乾湿球湿度計（乾湿温度計）という形で、乾球温度・湿球温度の測定により湿度・温度を同時に測定するものを用いることも可能で、温度と湿度を計測できる構成であれば、その形態により制限されるものではない。
【００２６】
また、本実施の形態の観測機１０（１０ａ〜１０ｅ）では、環境情報を計測するためのセンサとして、温度センサ２４及び湿度センサ２６を設けているが、温度センサ２４及び湿度センサ２６に限られるものではなく、酸素濃度、一酸化炭素濃度、二酸化炭素濃度、硫化水素濃度、エチレン濃度、風向き、風量、気圧や日射量といった環境情報を計測できるセンサを設けることが可能である。そして、それらのセンサ周囲の空気が接しやすくするために、筐体１２にスリット穴１２ａを設けている。
【００２７】
観測機１０（１０ａ〜１０ｅ）の具体的な電子的な構成としては、図４に示すように、温度センサ２４及び湿度センサ２６（補償等回路２８を含む）が、無線モジュール２０に接続され、基板３０を中心に回路が実装されている。また、電源は、基板３２に搭載されたバッテリ２２から供給される。基板３０，３２は、図６に示すように、観測機１０（１０ａ〜１０ｅ）の筐体１２の内部に、上下に伸びる対向する１組の溝１２ｂのそれぞれの間に挿嵌固定されている。尚、本実施の形態の観測機１０（１０ａ〜１０ｅ）には、ＬＥＤ３６及びブザー３８が、設けられている。ＬＥＤ３６は、上蓋１４の黒球１８の周囲に複数個設けられ、光が外側から見える構造になっている。
【００２８】
観測機１０（１０ａ〜１０ｅ）に設けられている無線モジュール２０は、温度センサ２４や湿度センサ２６で計測した環境情報を、監視制御装置４０に送るものである。無線モジュール２０の無線方式については、環境情報を送信できるものであれば、どのような方式のものであってもよいが、観測機１０（１０ａ〜１０ｅ）と監視制御装置４０との間の距離等を考慮して、観測機１０（１０ａ〜１０ｅ）から監視制御装置４０に環境情報を送ることができる必要がある。無線モジュール２０の無線方式としては、例えば、携帯電話やＰＨＳ（Ｐｅｒｓｏｎａｌ  Ｈａｎｄｙｐｈｏｎｅ  Ｓｙｓｔｅｍ）等の公衆通信網系の他、ＺｉｇＢｅｅ（電気的な仕様はＩＥＥＥ  ８０２．１５．４として規格化されている）等の無線ＬＡＮ等であってもよく、方式や規格によって制限されるものではない。
【００２９】
本実施の形態の無線モジュール２０は、ＺｉｇＢｅｅの方式で、温度センサ２４や湿度センサ２６からのアナログ信号をデジタル信号に変換するＡＤ変換も内蔵するもので、アナログ入力以外にも、入出力両方向のデジタル的なインタフェースも備えている（本実施の形態では、このインタフェースを用いて、ＬＥＤ３６やブザー３８を制御している）。尚、環境情報計測警報制御システム１の全体の機能によっては、観測機１０（１０ａ〜１０ｅ）から監視制御装置４０へ環境情報を送るだけでよい場合もあり、その場合は、無線モジュール２０は、送信機能だけを持っていればよい。但し、通信上のハンドシェイクや監視制御装置４０から観測機１０（１０ａ〜１０ｅ）への情報の伝達を考慮すると、双方向の通信が可能な無線モジュール２０であることが望ましい。
【００３０】
監視制御装置４０は、図１に示すように、例えば、コンピュータである。図１の例では、観測機１０（１０ａ〜１０ｅ）との間で無線を介して環境情報の授受を可能にするために、コンピュータである監視制御装置４０に無線機器４２を接続している。尚、監視制御装置４０は、本発明の機能を実現させることができるものであれば、コンピュータに限るものではなく、例えば、後述する環境改善装置に、監視制御装置としての機能を組み込むことも可能である。
【００３１】
次に、このように構成された環境情報計測警報制御システム１の使用方法を説明する。まず、観測機１０（１０ａ〜１０ｅ）を、計測対象区域Ｅに、少なくとも１つ以上、配置する。図２の例では、学校の校内を計測対象区域Ｅとし、計測対象区域Ｅの５ヶ所に５個の観測機１０（１０ａ〜１０ｅ）を配置している。配置する場所は、あくまでも任意であり、また途中で自由に移動も可能であるが、この例では、生徒の熱中症の発症を警戒して、熱中症の危険性が高いと思われるテニスコートＴ、グラウンドＧ、体育館である第１アリーナＡ１及び第２アリーナＡ２、柔剣道場Ｊに、観測機１０（１０ａ〜１０ｅ）を配置している。そして、監視制御装置４０（無線機器４２を含む）は、構内の管理室Ｍに設置している。尚、本実施の形態では、計測対象区域として学校の校内を示しているが、学校の校内に限らず、家庭、工場（植物工場等も含む）、オフィスビル、病院、介護施設、公園等の屋内外の場所で用いることができる。
【００３２】
観測機１０（１０ａ〜１０ｅ）からは、リアルタイムで、設置場所の温度や湿度の環境情報が、監視制御装置４０に送られてくる。監視制御装置４０は、計測対象区域Ｅに配置された観測機１０（１０ａ〜１０ｅ）が計測した環境情報を、一元的にモニタリング可能にする。具体的には、図３の監視制御装置４０のモニタ画面４０ａにあるように、テニスコートＴ、グラウンドＧ、第１アリーナＡ１、第２アリーナＡ２及び柔剣道場Ｊの温度や湿度を、表示する（図３のモニタ画面４０ａの各設置場所の画像は、嵌め込み画像である）。このモニタ画面４０ａを、監視することで、計測対象区域Ｅのどの場所の環境情報が悪化しているかを監視することができる。
【００３３】
また、本実施の形態では、監視制御装置４０側で、観測機１０（１０ａ〜１０ｅ）から受信した環境情報に基づき、疾病の発生危険性又は環境情報の悪化度合いを算出し、観測機１０（１０ａ〜１０ｅ）が配置された場所での疾病の発生危険性又は環境情報の悪化度合いを監視し、疾病の発生危険性又は環境情報の悪化度合いを表示するようにしている。具体的には、図３のモニタ画面４０ａには、熱中症の危険度を示す熱中症指数（ＷＢＧＴ）を表示している。また、監視制御装置４０が、算出した疾病の発生危険性又は環境情報の悪化度合いを、他の装置等に発信するようにしてもよい。
【００３４】
本実施の形態では、監視制御装置４０が、疾病の発生危険性又は環境情報の悪化度合いを算出し、観測機１０（１０ａ〜１０ｅ）が配置された場所で疾病の発生危険性が高まった又は環境情報が悪化したと判断した場合、観測機１０（１０ａ〜１０ｅ）に対して無線手段を介して警報表示手段により警報を発するように指示するようにしている。この観測機１０（１０ａ〜１０ｅ）側の警報表示手段が、ＬＥＤ３６やブザー３８であり、監視制御装置４０からの指示により、発光したり音が出たりして、周囲に危険性を報知する。尚、本実施の形態では、警報表示手段で警報を発する媒体が光や音であるが、これらに限られず、振動や臭い等の人が警報として認識できるものであればよい。
【００３５】
また、本実施の形態では、監視制御装置４０で、疾病の発生危険性又は環境情報の悪化度合いを算出しているわけであるが、その例として熱中症の危険性（ＷＢＧＴ）を示しているが、熱中症に限らず、環境情報の内容や、また悪化や変化により、疾病が起こる危険度が高まるものであれば、監視制御装置４０で算出し、監視可能とし、また発信したり警報の指示を出すようにすればよい。尚、具体的な例としては、熱中症の他、インフルエンザ、感冒、脱水症状又は一酸化中毒等があるが、これですらあくまでも一例である。
【００３６】
さらに、環境情報計測警報制御システム１で、監視制御装置４０が、観測機１０（１０ａ〜１０ｅ）から送られてきた環境情報に基づき、観測機１０（１０ａ〜１０ｅ）が配置された場所の環境情報を改善するための環境改善装置を制御し、観測機１０（１０ａ〜１０ｅ）が配置された場所の環境を改善するように構成してもよい。環境情報の改善としては、予想される疾病の予防に適した環境情報にするための制御を行うことが含まれる。
【００３７】
具体的には、図７に示すように、監視制御装置４０が、有線又は無線で環境改善装置（５０〜６０）と接続され、環境改善装置（５０〜６０）の制御を行う。環境改善装置の例としては、図７にもある通り、空調機器５０、換気機器５２、ブラインド５４、加湿器５６、ミスト発生器５８、警報器６０（周囲に注意喚起することで、環境情報が改善されるような場合も想定される）等であるが、あくまでも一例である。尚、これらの環境改善装置（５０〜６０）の内部に、監視制御装置４０としての機能を組み込むことも可能であり、その構成は任意である。
【００３８】
以上のような構成の環境情報計測警報制御システム１によれば、観測機１０（１０ａ〜１０ｅ）が、構成的に簡易的で、容易に任意の場所に移動可能であって、且つ、監視制御装置４０が、観測機１０（１０ａ〜１０ｅ）が計測した環境情報を一元的にモニタリングすることで、計測対象区域Ｅ内の環境情報を一元的に管理でき、容易に、計測対象区域Ｅ内の熱中症等の疾病の危険度や環境情報の悪化度合いを把握できる。特に、観測機１０（１０ａ〜１０ｅ）には、例えば、複雑な計算を要するような熱中症の危険度を計算する機能を設けておらず、構成をより簡易にすることで、観測機１０（１０ａ〜１０ｅ）のコストを抑えている。
【００３９】
また、監視制御装置４０が、観測機１０（１０ａ〜１０ｅ）から受信した環境情報に基づき、疾病の発生危険性又は環境情報の悪化度合いを算出し、観測機１０（１０ａ〜１０ｅ）が配置された場所での疾病の発生危険性又は環境情報の悪化度合いを監視し、疾病の発生危険性又は環境情報の悪化度合いを表示又は発信するようにすることで、疾病の予防や環境の改善のための対処が迅速に行えるようになる。疾病の予防の対処としては、例えば、熱中症の発生が懸念される場所に長時間滞在しないように注意喚起するようなことも可能になる。
【００４０】
さらに、観測機１０（１０ａ〜１０ｅ）が、警報を発するＬＥＤ３６やブザー３８といった警報表示手段を有し、監視制御装置４０が、観測機１０（１０ａ〜１０ｅ）が配置された場所で疾病の発生危険性が高まった又は環境情報が悪化したと判断した場合、監視制御装置４０が観測機１０（１０ａ〜１０ｅ）に対して無線手段を介して警報表示手段により警報を発するように指示し、観測機１０（１０ａ〜１０ｅ）が警報表示手段により、警報を発することができるようにすることで、より確実に観測機１０（１０ａ〜１０ｅ）の周囲に居る人に、注意喚起できる。
【００４１】
さらに、環境情報計測警報制御システム１によれば、環境情報に基づき、環境情報によって疾病の発生危険性が高まる熱中症、インフルエンザ、感冒、脱水症状又は一酸化中毒等に、より有効である。
【００４２】
さらに、監視制御装置４０が、観測機１０（１０ａ〜１０ｅ）から送られてきた環境情報に基づき、観測機１０（１０ａ〜１０ｅ）が配置された場所の環境情報を改善するための空調機器５０等の環境改善装置を制御し、観測機１０（１０ａ〜１０ｅ）が配置された場所の環境を改善するようにすることで、単に注意喚起するのみではなく、積極的に環境を改善し、疾病の発生防止や環境の悪化を防止することができる。
【００４３】
さらに、観測機１０（１０ａ〜１０ｅ）が、内部が空洞な上下に伸びる円柱状又は多角柱状の筐体１２と、筐体１２内部に設けられた環境情報を計測するための湿度センサ２６等のセンサと、筐体１２内部に設けられた無線手段である無線モジュール２０とを備え、筐体１２に、センサに周囲の空気が接しやすくするためのスリット穴１２ａを設けるようにすることで、観測機１０（１０ａ〜１０ｅ）を容易に移動しやすい形状（手で握りやすい形状）でありながら、スリット穴１２ａを介して設置場所の空気が適正にセンサに到達するようにして、より正確な計測が行える構造である。特に、観測機１０（１０ａ〜１０ｅ）が、上下に伸びる円柱状又は多角柱状の筐体１２で、且つ、筐体１２の上方の周囲にスリット穴１２ａを設けることで、配置している設置面の温度の影響を受けにくく、環境情報の計測が可能である。
【００４４】
さらに、観測機１０（１０ａ〜１０ｅ）の筐体１２の上端に、その一部が陥没するように黒球１８を設け、黒球１８の中に温度測定用のセンサである温度センサ２４を設けることにより、熱中症の危険度を示す熱中症指数（ＷＢＧＴ）等の計算をより正確に行うための温度計測が可能となる。
【００４５】
さらに、観測機１０（１０ａ〜１０ｅ）が、筐体１２の内部に、上下に伸びる対向する１組の溝を少なくとも１つ有し、一組の溝の間に、電子基板（基板３０，３２）を挿嵌固定可能にすることで、電子基板の面積を確保しつつ、筐体１２の大きさを抑えて、移動しやすい形状にすることができる。
【００４６】
尚、上述の説明では、発明の適用範囲の例として、疾病等の人の身体についての作用を説明してきたが、環境情報の悪化が与える影響は、人体だけではなく、他の動物や植物等にも影響を及ぼすものであり、人が居ない場所（例えば、動物の飼育小屋、植物工場、花や野菜や魚や肉等を保存する倉庫や冷蔵庫等）であっても、環境情報の悪化度合いを把握し対処することは重要であり、環境情報計測警報制御システム１を適用及び活用することができる。すなわち、環境情報には、例えば、花や野菜や魚や肉等を保存する倉庫や冷蔵庫等の内部の、これらの物を保存するのに影響を与える雰囲気情報も含むものである。
【産業上の利用可能性】
【００４７】
以上のように、本発明によれば、観測機が、構成的に簡易的で、容易に任意の場所に移動可能であって、且つ、監視制御装置が、観測機が計測した環境情報を一元的にモニタリングすることで、計測対象区域内の環境情報を一元的に管理でき、容易に、計測対象区域内の熱中症等の疾病の危険度を把握できる環境情報計測警報制御システム及び環境情報計測警報制御方法を提供することができる。
【符号の説明】
【００４８】
１・・・・・環境情報計測警報制御システム
１０（１０ａ〜１０ｅ）・・・観測機
１２・・・・筐体
１２ａ・・・スリット穴
１２ｂ・・・溝
１４・・・・上蓋
１６・・・・底蓋
１８・・・・黒球
２０・・・・無線モジュール
２２・・・・バッテリ
２４・・・・温度センサ
２６・・・・湿度センサ
２８・・・・補償等回路
３０・・・・基板
３２・・・・基板
３６・・・・ＬＥＤ
３８・・・・ブザー
４０・・・・監視制御装置
４０ａ・・・モニタ画面
４２・・・・無線機器
５０・・・・空調機器
５２・・・・換気機器
５４・・・・ブラインド
５６・・・・加湿器
５８・・・・ミスト発生器
６０・・・・警報器
【図１】
2016018357.tif 000003
【図２】
2016018357.tif 000004
【図３】
2016018357.tif 000005
【図４】
2016018357.tif 000006
【図５】
2016018357.tif 000007
【図６】
2016018357.tif 000008
【図７】
2016018357.tif 000009